(57)【要約】【課題】従来より運搬及び収納が容易になる扇風機を提供する。【解決手段】両側にそれぞれ１つの枢結部を有するベース１と、両端がそれぞれ１つの枢転部を有し、該２つの枢転部がそれぞれ枢結手段を介して１つの枢結部に取り付けられ、枢結手段によりベース１に対して回転可能になっているフレームユニット２と、フレームユニット２に取り付けられているファンヘッドモジュール３と、を具え、フレームユニット２がベース１に対して、例えばベース１と平行するまで回転することで、扇風機が平面状となることができる。【選択図】図１
0003224744.tif 000002
【実用新案登録請求の範囲】
【請求項１】
両側にそれぞれ１つの枢結部を有するベースと、
両端がそれぞれ１つの枢転部を有し、該２つの枢転部がそれぞれ枢結手段を介して１つの前記枢結部に取り付けられ、前記枢結手段により前記ベースに対して回転可能になっているフレームユニットと、
前記フレームユニットに取り付けられているファンヘッドモジュールと、を具える
ことを特徴とする扇風機。
【請求項２】
前記フレームユニットは、互いに平行して前記２つの枢転部からそれぞれ延伸する２つの側辺部と、両端が前記側辺部にそれぞれ接続される水平部と、を有し、且つ、前記ベースに対して回転して収納位置と使用位置との間に切り替え可能になっており、
前記２つの枢結手段は、いずれも、前記ベースに固定されていると共に、前記枢転部により貫通される貫通孔が形成されている板状の固定板と、該枢結手段に接続される前記枢転部から突起し、前記フレームユニットの前記ベースに対する前記収納位置と前記使用位置との間の切り替えに応じて往復回動する定位柱と、を有し、
前記固定板には、互いに間隔を開けて形成される第１の係止部及び第２の係止部が突起するように形成されており、
前記固定板に形成された前記第１の係止部及び前記第２の係止部は、前記枢転部から突起する前記定位柱に対応して、前記フレームユニットが前記ベースに対して回転して前記使用位置に到達すると、前記定位柱が前記第１の係止部に当接し、そして前記フレームユニットが前記ベースに対して回転して前記収納位置に到達すると、前記定位柱が前記第２の係止部に当接するように配置構成されていることを特徴とする請求項１に記載の扇風機。
【請求項３】
前記枢結手段は、前記枢転部により貫通されるように環状に形成されると共に、前記貫通孔の隣に固定される係止リングを更に有し、
前記係止リングには、前記フレームユニットが前記使用位置まで回転した際、前記定位柱に対応して該定位柱を一時的に収容して係合する第１の凹部と、前記フレームユニットが前記収納位置まで回転した際、前記定位柱に対応して該定位柱を一時的に収容して係合する第２の凹部とが形成されている
ことを特徴とする請求項２に記載の扇風機。
【請求項４】
前記固定板は、前記ベースの外側に面する表面と、前記表面の反対側である裏面と、を有しており、前記固定板に形成された前記第１の係止部及び前記第２の係止部は、前記表面側へ突起するように形成されており、
また、前記固定板に固定される前記係止リングは、前記第１の凹部及び前記第２の凹部が前記固定板の前記表面側に位置するように取り付けられており、
前記枢結手段は、更に、前記固定板の前記裏面側において、前記貫通孔を貫通した前記枢転部に固定されたフランジと、両端がそれぞれ前記固定板及び前記フランジに取り付けられて前記固定板及び前記フランジに対して付勢力を提供して、前記フレームユニットの前記収納位置と前記使用位置との間の切り替え操作をサポートする弾性部と、を有する
ことを特徴とする請求項３に記載の扇風機。
【請求項５】
前記ファンヘッドモジュールは、枠状に形成されて前記２つの側辺部と前記水平部との間に配置されるガード部と、前記ガード部内に取り付けられているファン部と、を有し、
前記フレームユニットは、前記ガード部と前記側辺部との間に接続される２つの枢接構造を有し、
前記枢接構造は、それぞれ、前記側辺部に固定され、前記ガード部に枢設される枢接本体を有し、
前記ガード部は、前記枢接本体を回転軸として回転することができ、
前記ガード部は、両側に略円状に形成される２つの接続孔と、前記接続孔を画成する２つの内周面と、各前記接続孔の前記内周面からそれぞれ突起する２つのガイドブロックと、を有し、
前記枢接本体は、それぞれ、前記接続孔内に挿入される枢接部を有し、
前記枢接部の外周面には、該枢接部と前記接続孔との相対回転の方向に沿って延伸して前記ガイドブロックを受け入れるガイドスロットと、前記ガイドスロットの隣で該枢接部の径方向に沿って凹設されている収容孔と、を有し、
前記枢接構造は、それぞれ、前記接続孔の前記内周面に沿って延伸すると共に、前記枢接部の前記収容孔の開口に対応する複数の定位孔が形成されている定位手段と、前記収容孔内に可動的に収容される定位ピンと、両端がそれぞれ前記収容孔の底面と前記定位ピンとに当接し、前記定位ピンを前記収容孔外へ押し出す付勢力を付与する定位弾性手段と、を有し、
前記ガード部が前記枢接本体を回転軸として回転する角度に応じて、前記定位ピンがいずれか１つの前記定位孔に一時的に係合されることができる
ことを特徴とする請求項２〜４のいずれか１項に記載の扇風機。
【請求項６】
前記枢接本体は、それぞれ、前記枢接部から前記側辺部へ延伸する延伸部と、前記延伸部に接続され、前記側辺部を挿入する挿入部と、を更に有し、
前記フレームユニットは、前記延伸部と前記側辺部を包み覆うスリーブを更に有する
ことを特徴とする請求項５に記載の扇風機。
【考案の詳細な説明】
【技術分野】
【０００１】
本考案は扇風機に関し、詳しくは、容易に収納することができる扇風機に関する。
【背景技術】
【０００２】
通常の自立式扇風機は、台座と、台座から上方へ延伸する支持フレームと、支持フレームによって可動的に支持されているヘッド部と、ヘッド部に取り付けられている回転ファンと、を有するように構成されている。特許文献１には、このような従来の扇風機の一例が開示されている。
【先行技術文献】
【特許文献】
【０００３】
【特許文献１】台湾実用新案第Ｍ５７６６２１号明細書
【考案の概要】
【考案が解決しようとする課題】
【０００４】
しかしながら、従来の扇風機は、支持フレームが台座に対して回転不能なため、扇風機全体としての大きさを変えることができない。よって、もし、扇風機の体積が大きい場合には、扇風機を運搬又は収納するときに、扇風機を分解して運搬または収納せざるを得ないという欠点がある。
【０００５】
したがって、本考案は、上述の欠点を解決できる扇風機を提供することを目的とする。
【課題を解決するための手段】
【０００６】
前記目的を達成するための手段として、本考案は、以下の扇風機を提供する。
【０００７】
本考案の扇風機は、
両側にそれぞれ１つの枢結部を有するベースと、両端がそれぞれ１つの枢転部を有し、該２つの枢転部がそれぞれ枢結手段を介して１つの前記枢結部に取り付けられ、前記枢結手段により前記ベースに対して回転可能になっているフレームユニットと、前記フレームユニットに取り付けられているファンヘッドモジュールと、を具えることを特徴とする。
【考案の効果】
【０００８】
上記構成によれば、フレームユニットがベースに対して回転可能になっていることで、フレームユニットをベースと平行する位置まで回転させると、本考案に係る扇風機が平面状になる。したがって、扇風機全体としての大きさをコンパクトにすることができる。よって、従来よりも、扇風機の運搬と収納が容易になる。
【図面の簡単な説明】
【０００９】
【図１】本考案に係る扇風機の実施形態を示す斜視図であって、扇風機が使用状態にあることを示す。
【図２】前記実施形態の枢結手段の表面を示す斜視図であって、フレームユニット及び定位柱が使用位置に位置することを示す。
【図３】前記実施形態の枢結手段の裏面を示す斜視図である。
【図４】前記実施形態の枢結手段を示す斜視分解図である。
【図５】前記実施形態を示す正面図であって、扇風機が使用状態にあることを示す。
【図６】前記実施形態のフレームユニットの枢接構造と、ファンヘッドモジュールのガード部と、を示す斜視分解図である。
【図７】前記実施形態の枢接構造を示す正面分解図である。
【図８】図５におけるVIII-VIII線の断面図である。
【図９】前記実施形態を示す斜視図であって、扇風機が収納状態にあることを示す。
【図１０】前記実施形態の枢結手段を示す斜視図であって、フレームユニット及び定位柱が収納位置に位置することを示す。
【図１１】前記実施形態を示す正面図であって、扇風機が収納状態にあることを示す。
【図１２】図１１におけるXII-XII線の断面図である。
【考案を実施するための形態】
【００１０】
以下、本考案に係る扇風機の実施形態について、図面を参照して説明する。
【００１１】
図１と図２に示されているように、本実施形態は、両側にそれぞれ１つの枢結部１１０を有するベース１と、両端がそれぞれ１つの枢転部２１１を有し、該２つの枢転部２１１がそれぞれ枢結手段１３を介して１つの枢結部１１０に取り付けられ、枢結手段１３によりベース１に対して回転可能になっているフレームユニット２と、フレームユニット２に取り付けられているファンヘッドモジュール３と、を具える。また、フレームユニット２は、更に、互いに平行して２つの枢転部２１１からそれぞれ延伸する２つの側辺部２１２と、両端が側辺部２１２にそれぞれ接続される水平部２１３と、を有する。また、この実施形態において、ベース１は、上ハウジング１１１と下ハウジング１１２とを有するように構成されており、枢結手段１３は、ベース１内に固定されているが、本考案としては、この構成に限定されない。
【００１２】
図２〜図４に示されているように、２つの枢結手段１３は、いずれも、枢転部２１１により貫通される貫通孔１３１ａが形成されている板状の固定板１３１と、該枢結手段１３に接続される枢転部２１１から突起する定位柱１３５と、枢転部２１１により貫通されるように環状に形成されると共に、貫通孔１３１ａの隣に固定される係止リング１３４と、貫通孔１３１ａを貫通した枢転部２１１に固定されたフランジ１３２と、両端がそれぞれ固定板１３１及びフランジ１３２に取り付けられて、固定板１３１及びフランジ１３２に対して付勢力を提供する弾性部１３３と、を有する。
【００１３】
この実施形態において、定位柱１３５は、フレームユニット２の枢転部２１１を貫通する柱状のピンにより作成されているが、本考案としては、この構成に限定されず、例えばフレームユニット２の枢転部２１１と共に形成された柱状の突起物として作成されることも可能である。また、この実施形態において、フランジ１３２は、固定部１３２ａを介して枢転部２１１に固定され、固定部１３２ａとしては例えばねじを用いて螺合するが、本考案は、これに限定されない。また、この実施形態において、弾性部１３３は、ねじりばねであるが、本考案としては、これに限定されない。
【００１４】
固定板１３１には、互いに間隔を開けて形成される第１の係止部１３１ｂ１及び第２の係止部１３１ｂ２が突起するように形成されている。係止リング１３４には、互いに９０度の間隔を開けて、互い違いになる２つの第１の凹部１３４ａと、２つの第２の凹部１３４ｂとが形成されている。第１の凹部１３４ａと第２の凹部１３４ｂは、定位柱１３５に対応して該定位柱１３５を一時的に収容して係合することができる。また、この実施形態において、定位柱１３５がフレームユニット２の枢転部２１１を貫通して枢転部２１１の両側に突出する柱状のピンにより作成されているため、第１の凹部１３４ａと第２の凹部１３４ｂはそれぞれ２つあるが、もし、定位柱１３５が枢転部２１１と共に形成された柱状の突起物として作成される場合には、定位柱１３５が枢転部２１１の一側にのみ突出するので、第１の凹部１３４ａと第２の凹部１３４ｂはそれぞれ１つあればよい。
【００１５】
また、この実施形態において、固定板１３１は、ベース１の外側に面する表面と、表面の反対側である裏面と、を有しており、該表面側においては、第１の係止部１３１ｂ１及び第２の係止部１３１ｂ２が固定板１３１から突起するように形成され、係止リング１３４が第１の凹部１３４ａ及び第２の凹部１３４ｂが固定板１３１の表面側に位置するように取り付けられるのに対して、該裏面側においては、フランジ１３２と、弾性部１３３と、が取り付けられているが、本考案としては、この構成に限定されず、例えば、裏面側において、第１の係止部１３１ｂ１及び第２の係止部１３１ｂ２が形成され、係止リング１３４が取り付けられるのに対して、表面側において、フランジ１３２と、弾性部１３３と、が取り付けられていてもよい。
【００１６】
上記構成により、フレームユニット２は、フレームユニット２の側辺部２１２が延伸する方向がベース１と直交する使用位置と、フレームユニット２の側辺部２１２が延伸する方向がベース１と平行する（即ち略水平となる）収納位置と、の間に切り替えることができる。定位柱１３５は、フレームユニット２の使用位置と収納位置との間の切り替えに応じて往復回動する。図２に示されているように、フレームユニット２がベース１に対して使用位置まで回転すると、定位柱１３５は、第１の係止部１３１ｂ１に当接し、第１の凹部１３４ａに一時的に収容されて係合される。図１０に示されているように、フレームユニット２がベース１に対して収納位置まで回転すると、定位柱１３５は、第２の係止部１３１ｂ２に当接し、第２の凹部１３４ｂに一時的に収容されて係合される。弾性部１３３は、固定板１３１及びフランジ１３２に対して付勢力を付与することで、フレームユニット２の収納位置と使用位置との間の切り替え操作をサポートする。
【００１７】
図５〜図７に示されているように、ファンヘッドモジュール３は、枠状に形成されて２つの側辺部２１２と水平部２１３との間に配置されるガード部３１と、ガード部３１内に取り付けられているファン部３２と、を有する。ガード部３１は、両側に略円状に形成される２つの接続孔３１１と、接続孔３１１を画成する２つの内周面３１２と、各接続孔３１１の内周面３１２からそれぞれ突起する２つのガイドブロック３１３と、を有する。
【００１８】
フレームユニット２は、ガード部３１と側辺部２１２との間に接続される２つの枢接構造２２と、スリーブ２３と、を有する。２つの枢接構造２２は、それぞれ、側辺部２１２に固定され、ガード部３１に枢設される枢接本体２２１を有する。枢接本体２２１は、それぞれ、接続孔３１１内に挿入される枢接部２２１ａと、枢接部２２１ａから側辺部２１２へ延伸する延伸部２２１ｂと、延伸部２２１ｂに接続され、側辺部２１２を挿入する挿入部２２１ｃと、を有する。スリーブ２３は、枢接本体２２１の対応する側辺部２１２に対する固定を強化するよう、延伸部２２１ｂと側辺部２１２を包み覆う。また、この実施形態において、取り付けが容易になるよう、スリーブ２３は、前半部２３１と後半部２３２とを有するように構成されているが、本考案としては、この構成に限定されない。
【００１９】
また、枢接部２２１ａの外周面には、該枢接部２２１ａと接続孔３１１との相対回転の方向に沿って延伸して、ガイドブロック３１３を受け入れるガイドスロット２２１ａ１（図７参照）と、ガイドスロット２２１ａ１の隣で該枢接部２２１ａの径方向に沿って凹設されている収容孔２２１ａ２（図６参照）と、を有する。
【００２０】
枢接構造２２は、それぞれ、接続孔３１１の内周面３１２に沿って延伸すると共に、枢接部２２１ａの収容孔２２１ａ２の開口に対応する複数の定位孔２２２ａが形成されている定位手段２２２と、収容孔２２１ａ２内に可動的に収容される定位ピン２２３と、両端がそれぞれ収容孔２２１ａ２の底面と定位ピン２２３とに当接し、定位ピン２２３を収容孔２２１ａ２外へ押し出す付勢力を付与する定位弾性手段２２４と、を更に有する。図８に示されているように、ガード部３１が枢接本体２２１を回転軸として回転する角度に応じて、定位ピン２２３は、定位弾性手段２２４に付与される付勢力により、いずれか１つの定位孔２２２ａに一時的に係合されることができる。
【００２１】
ファンヘッドモジュール３が枢接本体２２１を回転軸として、フレームユニット２に対して回転するときには、ガイドブロック３１３がガイドスロット２２１ａ１に嵌め込まれて回転することで、ガイドブロック３１３の回転範囲がガイドスロット２２１ａ１により限定される。つまり、ファンヘッドモジュール３が回転できる角度がガイドスロット２２１ａ１により限定されている。また、定位ピン２２３がガード部３１の回転角度に応じていずれか１つの定位孔２２２ａに一時的に係合されることで、ガード部３１は、重力に対抗して、係合された定位孔２２２ａに対応する角度に維持することができるように構成されている。
【００２２】
図９〜図１２に示されているように、本考案に係る扇風機の実施形態を使用状態から収納状態にするときには、まず、フレームユニット２をベース１に対して収納位置まで回転させる。その際、定位柱１３５が第２の係止部１３１ｂ２に当接し、第２の凹部１３４ｂに一時的に収容されて係合される。次に、ファンヘッドモジュール３をフレームユニット２に対して、ファンヘッドモジュール３がフレームユニット２と平行する位置まで回転させる。そうすると、扇風機全体が平面状となるため、扇風機を運搬または収納することが容易になる。また、扇風機を使用状態から収納状態にするときには、ファンヘッドモジュール３をフレームユニット２と平行する位置まで回転させてから、フレームユニット２をベース１に対して収納位置まで回転させてもよい。
【００２３】
以上のような構成とされた本実施形態である扇風機によれば、フレームユニット２をベース１と平行する位置まで回転させて、ファンヘッドモジュール３をフレームユニット２と平行する位置まで回転させることで、扇風機全体が平面状となる。したがって、扇風機全体としての大きさをコンパクトにできる。よって、従来より扇風機の運搬と収納が容易になるという本考案の効果を果たす。
【００２４】
以上、本考案の好ましい実施形態及び変化例を説明したが、本考案はこれらに限定されるものではなく、最も広い解釈の精神および範囲内に含まれる様々な構成として、全ての修飾および均等な構成を包含するものとする。
【産業上の利用可能性】
【００２５】
本考案に係る扇風機は、床置き型の扇風機に対する様々な応用が可能である。
【符号の説明】
【００２６】
１    ベース
１１０    枢結部
１１１    上ハウジング
１１２    下ハウジング
１３    枢結手段
１３１    固定板
１３１ａ    貫通孔
１３１ｂ１    第１の係止部
１３１ｂ２    第２の係止部
１３２    フランジ
１３２ａ    固定部
１３３    弾性部
１３４    係止リング
１３４ａ    第１の凹部
１３４ｂ    第２の凹部
１３５    定位柱
２    フレームユニット
２１１    枢転部
２１２    側辺部
２１３    水平部
２２    枢接構造
２２１    枢接本体
２２１ａ    枢接部
２２１ａ１    ガイドスロット
２２１ａ２    収容孔
２２１ｂ    延伸部
２２１ｃ    挿入部
２２２    定位手段
２２２ａ    定位孔
２２３    定位ピン
２２４    定位弾性手段
２３    スリーブ
２３１    前半部
２３２    後半部
３    ファンヘッドモジュール
３１    ガード部
３１１    接続孔
３１２    内周面
３１３    ガイドブロック
３２    ファン部
【図１】
0003224744.tif 000003
【図２】
0003224744.tif 000004
【図３】
0003224744.tif 000005
【図４】
0003224744.tif 000006
【図５】
0003224744.tif 000007
【図６】
0003224744.tif 000008
【図７】
0003224744.tif 000009
【図８】
0003224744.tif 000010
【図９】
0003224744.tif 000011
【図１０】
0003224744.tif 000012
【図１１】
0003224744.tif 000013
【図１２】
0003224744.tif 000014